(57)【要約】【課題】利便性を損なうことなく安定した動作を保つ掃除機用塵埃検出装置を提供する。【解決手段】電気掃除機（図示せず）の電動送風機（図示せず）による吸引風によって回転する羽根車４５ｂの回転によって発電する発電機４５と、発電機４５の発電する電力を所定の間隔で出力させる電力供給手段（図示せず）と、発光手段６１とその光を受光して信号を出力する受光手段６２からなり吸引された塵埃を検知する塵埃検出手段４８と、塵埃を検知した際に使用者に塵埃のあることを認識させるための報知手段４７と、発電機４５からの発電量または発電電流を検出する発電量検出手段（図示せず）と、制御手段（図示せず）を備え、電力供給手段により出力された電源に応じて発光手段６１と受光手段６２を動作させるもので、発電機４５の発電量に影響されることなく、安定した動作を保つことができる使い勝手のよい掃除機用塵埃検出装置を提供することができる。【選択図】図２
2014226288.tif 000002
【特許請求の範囲】
【請求項１】
電気掃除機の電動送風機による吸引風によって回転する羽根車と、前記羽根車の回転によって発電する発電手段と、前記発電手段の発電する電力を所定の間隔で出力させる電力供給手段と、発光手段と前記発光手段からの光を受光して信号を出力する受光手段からなり吸引された塵埃を検知する塵埃検出手段と、塵埃を検知した際に使用者に塵埃のあることを認識させるための報知手段と、前記発電手段からの発電量または発電電流を検出する発電量検出手段と、制御手段を備え、前記電力供給手段により出力された電源に応じて前記発光手段と前記受光手段を動作させることを特徴とする掃除機用塵埃検出装置。
【請求項２】
発電量検出手段により、発電手段から発電される電力量が所定の電力量よりも多いと判断された場合、電力供給手段により出力される時間を延ばすようにした請求項１に記載の掃除機用塵埃検出装置。
【請求項３】
発電量検出手段により、発電手段から発電される電力量が所定の電力量よりも少ないと判断された場合、電力供給手段により出力される時間を短くするようにした請求項１に記載の掃除機用塵埃検出装置。
【請求項４】
発電量検出手段により、発電手段から発電される電力量が所定の電力量よりも多いと判断された場合、電力供給手段によりパルスのＯＮ、ＯＦＦ間隔を短くする請求項１に記載の掃除機用塵埃検出装置。
【請求項５】
発電量検出手段により、発電手段から発電される電力量が所定の電力量よりも少ないと判断された場合、電力供給手段によりパルスのＯＮ、ＯＦＦ間隔を長くするようにした請求項１に記載の掃除機用塵埃検出装置。
【請求項６】
塵埃検出手段の検知感度を調整する感度調整手段を備え、発電量検出手段により、発電手段から発電される電力量が所定の電力量よりも多いと判断された場合、前記感度調整手段により前記塵埃検出手段の感度を鈍くするように感度の調整を行い、前記発電量検出手段により、前記発電手段から発電される電力量が所定の電力量よりも少ないと判断された場合、前記塵埃検出手段の検知感度を鋭くするように感度の調整を行うようにした請求項１〜５のいずれか１項に記載の掃除機用塵埃検出装置。
【請求項７】
報知手段に供給される電力を所定の電力量以下になるように制御する請求項１〜６のいずれか１項に記載の掃除機用塵埃検出装置。
【請求項８】
制御手段用の電源として、発電手段とは別に一次電池等を使用するようにした請求項１〜７のいずれか１項に記載の掃除機用塵埃検出装置。
【請求項９】
請求項１〜８のいずれか１項に記載された掃除機用塵埃検出装置を備えた電気掃除機。
【発明の詳細な説明】
【技術分野】
【０００１】
本発明は、汎用の電気掃除機に容易に装着できる掃除機用塵埃検出装置及び電気掃除機に関するものである。
【背景技術】
【０００２】
従来、この種の掃除機用塵埃検出装置として、吸引される塵埃を検知する塵埃検知手段と、塵埃検知手段の出力に応じて表示を行う表示部と、電気掃除機の吸引風を利用して羽根車を回す発電機と、前記塵埃検知手段と前記表示部に電源を供給する電源部を備え、これらを一体化して電気掃除機に自在に着脱できるようにした塵埃検知手段が提案されている（例えば、特許文献１参照）。
【０００３】
また、塵埃検知ユニットを備えた吸込具も提案されている（例えば、特許文献２参照）。
【先行技術文献】
【特許文献】
【０００４】
【特許文献１】特許第２８８６７２９号公報
【特許文献２】特許第３０４０３３７号公報
【発明の概要】
【発明が解決しようとする課題】
【０００５】
しかしながら、前記従来の掃除機用塵埃検出装置の構成では、電気掃除機の吸引風を利用して羽根車を回し発電した発電量だけで塵埃検知手段に電源を供給して動作させているため、吸引風が小さい状態では、発電量が不足し、正常に塵埃を検知し塵埃報知表示を行うことができないという課題があった。
【０００６】
本発明は、前記従来の課題を解決するもので、動力源となる発電手段の発電量を判断して発光手段への通電量を制御し、利便性を損なうことなく安定した動作を保つ掃除機用塵埃検出装置を提供することを目的とする。
【課題を解決するための手段】
【０００７】
前記従来の課題を解決するために、本発明の掃除機用塵埃検出装置は、電気掃除機の電動送風機による吸引風によって回転する羽根車と、前記羽根車の回転によって発電する発電手段と、前記発電手段の発電する電力を所定の間隔で出力させる電力供給手段と、発光手段と前記発光手段からの光を受光して信号を出力する受光手段からなり吸引された塵埃を検知する塵埃検出手段と、塵埃を検知した際に使用者に塵埃のあることを認識させるための報知手段と、前記発電手段からの発電量または発電電流を検出する発電量検出手段と、制御手段を備え、前記電力供給手段により出力された電源に応じて前記発光手段と前記受光手段を動作させるもので、発電手段の発電量に影響されることなく、安定した動作を保つことができる使い勝手のよい掃除機用塵埃検出装置を提供することができる。
【０００８】
又、本発明の電気掃除機は、請求項１〜８のいずれか１項に記載された掃除機用塵埃検出装置を備えたもので、使い勝手のよい電気掃除機を提供することができる。
【発明の効果】
【０００９】
本発明の掃除機用塵埃検出装置は、掃除機本体の運転状態に関わらず、発電手段の発電量に応じて、発光手段および受光手段への通電量を制御することにより、安定した使い勝
手のよいもので、これを電気掃除機に接続することで使い勝手の良い電気掃除機を提供することができる。
【図面の簡単な説明】
【００１０】
【図１】本発明の実施の形態１における掃除機用塵埃検出装置を接続した電気掃除機の斜視外観図
【図２】同掃除機用塵埃検出装置の断面図
【図３】同電気掃除機の制御ブロック図
【図４】（ａ）、（ｂ）同掃除機用塵埃検出装置の発電量を示す図
【図５】同発電量と吸引風の関係を示す図
【図６】（ａ）従来の掃除機用塵埃検出装置を搭載した電気掃除機の「強」ポジションでの発電量を示す図、（ｂ）同電気掃除機の「中」ポジションでの発電量を示す図、（ｃ）同電気掃除機の「弱」ポジションでの発電量を示す図
【図７】（ａ）本発明の実施の形態における掃除機用塵埃検知装置を搭載した電気掃除機の他の例を示す「強」ポジションでの発電量を示す図、（ｂ）同電気掃除機の「中」ポジションでの発電量を示す図、（ｃ）同電気掃除機の「弱」ポジションでの発電量を示す図
【図８】（ａ）本発明の実施の形態における掃除機用塵埃検知装置を搭載した電気掃除機の他の例を示す「強」ポジションでの発電量を示す図、（ｂ）同電気掃除機の「中」ポジションでの発電量を示す図、（ｃ）同電気掃除機の「弱」ポジションでの発電量を示す図
【発明を実施するための形態】
【００１１】
第１の発明は、電気掃除機の電動送風機による吸引風によって回転する羽根車と、前記羽根車の回転によって発電する発電手段と、前記発電手段の発電する電力を所定の間隔で出力させる電力供給手段と、発光手段と前記発光手段からの光を受光して信号を出力する受光手段からなり吸引された塵埃を検知する塵埃検出手段と、塵埃を検知した際に使用者に塵埃のあることを認識させるための報知手段と、前記発電手段からの発電量または発電電流を検出する発電量検出手段と、制御手段を備え、前記電力供給手段により出力された電源に応じて前記発光手段と前記受光手段を動作させるもので、発電手段の発電量に影響されることなく、安定した動作を保つことができる使い勝手のよい掃除機用塵埃検出装置を提供することができる。
【００１２】
第２の発明は、特に、第１の発明の発電量検出手段により、発電手段から発電される電力量が所定の電力量よりも多いと判断された場合、電力供給手段により出力される時間を延ばすようにしたもので、塵埃検出手段の動作を安定させることができる。
【００１３】
第３の発明は、特に、第１の発明の発電量検出手段により、発電手段から発電される電力量が所定の電力量よりも少ないと判断された場合、電力供給手段により出力される時間を短くするようにしたもので、発電手段から発電される電力量が所定の電力量よりも少ない場合でも、塵埃検出手段の動作を安定させることができる。
【００１４】
第４の発明は、特に、第１の発明の発電量検出手段により、発電手段から発電される電力量が所定の電力量よりも多いと判断された場合、電力供給手段によりパルスのＯＮ、ＯＦＦ間隔を短くするもので、塵埃検出手段の動作を安定させることができる。
【００１５】
第５の発明は、特に、第１の発明の発電量検出手段により、発電手段から発電される電力量が所定の電力量よりも少ないと判断された場合、電力供給手段によりパルスのＯＮ、ＯＦＦ間隔を長くするようにしたもので、発電手段から発電される電力量が所定の電力量よりも少ない場合でも、塵埃検出手段の動作を安定させることができる。
【００１６】
第６の発明は、特に、第１〜５のいずれかひとつの発明の塵埃検出手段の検知感度を調整する感度調整手段を備え、発電量検出手段により、発電手段から発電される電力量が所定の電力量よりも多いと判断された場合、前記感度調整手段により前記塵埃検出手段の感度を鈍くするように感度の調整を行い、前記発電量検出手段により、前記発電手段から発電される電力量が所定の電力量よりも少ないと判断された場合、前記塵埃検出手段の検知感度を鋭くするように感度の調整を行うようにしたもので、発電手段から発電される電力量が所定の電力量よりも多い場合は、塵埃検出手段の感度を鈍くしても何ら差し支えなく、また、発電手段から発電される電力量が所定の電力量よりも少ない場合は、前記塵埃検出手段の検知感度を鋭くするように感度をあげるので、塵埃検出手段による塵埃検知を精度よく行うことができる。
【００１７】
第７の発明は、特に、第１〜６のいずれかひとつの発明の報知手段に供給される電力を所定の電力量以下になるように制御するもので、例えば、報知手段への通電をパルス状にすることで報知手段での電力消費が少なくなりその分塵埃検出手段に供給できる電力量が増えるので安定して動作させることができる。
【００１８】
第８の発明は、特に、第１〜７のいずれかひとつの発明の制御手段用の電源として、発電手段とは別に一次電池等を使用するようにしたもので、万が一発電手段の発電量が非常に少ない場合や不安定なときでも、一次電池等などから塵埃検出手段に電力を供給して、塵埃検知を確実に行うことができる。
【００１９】
第９に係る電気掃除機は、請求項１〜８のいずれか１項に記載された掃除機用塵埃検出装置を備えたもので、使い勝手のよい電気掃除機を提供することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における掃除機用塵埃検出装置を接続した電気掃除機の斜視外観図、図２は、同掃除機用塵埃検出装置の断面図、図４（ａ）、（ｂ）は、同掃除機用塵埃検出装置の発電量を示す図、図５は、同発電量と吸引風の関係を示す図、図６は、従来の掃除機用塵埃検出装置を搭載した電気掃除機の「強」ポジションでの発電量を示す図、図６（ｂ）は、同電気掃除機の「中」ポジションでの発電量を示す図、図６（ｃ）は同電気掃除機の「弱」ポジションでの発電量を示す図である。
【００２２】
図１において、本実施の形態における掃除機用塵埃検出装置２０を接続した電気掃除機は、延長管８に取り付けた塵埃を吸引する吸込具９を有し、延長管８は、掃除機用塵埃検出装置２０と接続可能であり、他方は、各種の動作モード（例えば「強」・「中」・「弱」・停止等の吸込み力）が選択できる手元操作部５と、把手部６を有する手元管７と接続可能であり、手元管７の他方は回転可能なホース接続部１０を介して、ホース１１に接続されている。ホース１１は、ピアノ線等からコイル状に作られた芯線（図示せず）を有して、可撓性を有する蛇腹状に作られていて、その芯線で手元操作信号伝達や電力供給を掃除機本体１から行っており、回転可能な本体接続筒１２を介して掃除機本体１に接続されている。
【００２３】
掃除機本体１は、後部に吸引風を発生する電動送風機２を内蔵しており、前部に塵埃を分離捕集する集塵容器３が着脱自在に取り付けられている。また、後部に商用電源（図示せず）に接続して、掃除機本体１に内蔵されている本体制御回路（図示せず）に電源を供給するための電源コード１３が設けられている。
【００２４】
図２において、掃除機用塵埃検出装置２０の両端部は、円筒パイプ４１であって、円筒パイプ４１の端部５２は、電気掃除機の手元管７や、延長管８にも着脱可能であり、他端部５５は吸込具９や延長管８にも着脱自在に装着できるようになっている。
【００２５】
円筒パイプ４１の上面には平坦部５３が形成されていて、この平坦部５３を被覆するようにパイプカバー４３がビス４４によって取付けられている。パイプカバー４３と前記平坦部５３との間に形成される空間には、吸引風によって発電する発電手段となる発電機４５と、制御基板４６と、報知手段４７と、受光手段６２が配置されている。又前記パイプカバー４３に、円筒パイプ４１の周囲を取囲むリングカバー４９が組付けられていて、そのリングカバー４９の下側空間に発光手段６１が配置されている。
【００２６】
発電機４５は、発電機本体４５ａと、羽根車４５ｂを備え、前記平坦部５３上の発電機取付座５３ａ上に着座している。発電機４５は、前記パイプカバー４３の発電機取付部４３ａで固定されている。前記パイプカバー４３には、前記羽根車４５ｂを回転させるための外気を取入れる吸気孔４３ｂが設けられており、発電機４５の側方にも空気流通口４５ｄが設けられている。更に前記平坦部５３には羽根車４５ｂを回転させた空気をメイン吸気通路Ｔに導くための排気口５３ｂが形成されている。
【００２７】
掃除をする際、円筒パイプ４１には吸引力が作用し、前記端部５５から塵埃と共に吸引された空気Ｑが、メイン吸気通路Ｔを通って、掃除機本体１側に吸引される。この際同時に、前記吸気孔４３ｂから取入れられた空気は、空気流通口４５ｄから発電機４５内に流入し、羽根車４５ｂを回転させて発電した後、排気口５３ｂを通過し吸込流Ｓとなってメイン吸気通路Ｔに流出する。なお、前記吸気孔４３ｂからの塵埃の侵入を防ぐためのフィルター５０が設けられている。
【００２８】
次に、図３を用いて、本実施の形態における掃除機用塵埃検出装置２０を備えた電気掃除機の制御方法について説明する。図３は、同電気掃除機の制御ブロック図である。
【００２９】
掃除機本体１内の通電検知手段７１は、掃除機本体１が商用電源３５に接続され、通電されたかどうかを検知するものであり、検知信号を本体制御手段７２に出力している。本体制御手段７２は、マイクロコンピュータなどにより構成されるており、使用者によって手元操作部２５より入力された操作情報に基づき、電動送風機駆動手段７３へ位相制御するための点弧パルスを出力する制御を行ったり、操作情報や通電検知手段７１の検知情報に基づき、駆動信号を出力し、制御を行っている。
【００３０】
電動送風機駆動手段７３は、電動送風機２を駆動するための双方向性サイリスタなどで構成された駆動手段であり、電動送風機２を位相制御し吸込み力を変化させている。発電機４５は、電動送風機２からの吸引風で発電する発電手段であり、電力供給手段８３によって塵埃検出手段４８、制御基板４６に電力を供給している。
【００３１】
塵埃検出手段４８は、対向して発光手段６１と受光手段６２を備えており、その間に塵埃が通過すると、受光手段６２の受光量が変化し、その受光量に対応して受光手段６２の出力電圧も変化する。増幅器４８ｄは、受光手段６２の変化量（交流成分）のみを増幅して、その交流成分の振幅に応じた電圧を制御手段８２に出力し、塵埃を検出している。発電量検出手段８１は、発電機４５の回転数や、発電電圧、電流を検出して、発電量を検出するものであり、制御手段８２に出力している。
【００３２】
以上のように構成された本実施の形態における掃除機用塵埃検出装置２０の動作、作用を以下に説明する。
【００３３】
まず、使用者が掃除を行うために掃除機本体１より電源コード１３を引き出して、電源コード１３の先に付いているプラグ１３ａをコンセントに接続し、掃除機本体１が商用電源３５に接続されると、通電検知手段７１によって本体制御手段７２に検知信号が伝達される。
【００３４】
次に使用者が、手元操作部２５を操作し、例えば、「強」モードを選択すると、本体制御手段７２は、手元操作部２５からの情報を基に、電動送風機駆動手段７３とに予め定められた信号を送り、電動送風機２を駆動させる。電動送風機２による吸引力は、集塵容器３、ホース１１、掃除機用塵埃検出装置２０、延長管８を経て吸込具９に至る。そして、吸込具９から吸引された塵埃を含んだ空気が、集塵容器３に入り、そこで塵埃が捕集され、堆積していく。掃除を終了するときは、使用者が手元操作部２５の「停止」を選択し、電動送風機２の駆動を停止させる。
【００３５】
掃除を行っている際の電動送風機２の吸引風によって、発電機４５によって発電された電力で、塵埃検出手段４８と報知手段４７と本体制御手段７２に電源が供給され、掃除機用塵埃検出装置２０は動作する。
【００３６】
塵埃を吸引した場合、対向して備えている発光手段６１と受光手段６２の間に塵埃が通過すると、受光手段６２の受光量が変化し、その受光量に対応して受光手段６２の出力電圧も変化する。塵埃検出手段４８上の増幅器４８ｄは受光手段６２の変化量（交流成分）のみを増幅して、その交流成分の振幅に応じた電圧を制御手段８２に出力し、その出力によって制御手段８２は、塵埃の有無を判断し、塵埃報知手段である報知手段４７に出力し点灯表示する。
【００３７】
掃除機本体１および円筒パイプ４１内の吸引風Ｑは、使用者が手元操作部２５で選択する運転ポジションによって決定される。使用者が選択する運転ポジションとしては通常「強」、「中」、「弱」のように複数のポジションを選択することが可能な場合が多い。吸引風Ｑは、この使用者により選択されたポジションによって決定されることとなる。「強」ポジションの場合は、吸引風Ｑも強くなり、「弱」ポジションの場合は吸引風Ｑも弱くなるというように、吸引風Ｑの強さは決定される。
【００３８】
この吸引風Ｑの強さは、吸気孔４３ｂから空気流通口４５ｄを通過する空気の量に比例し、あわせて発電機４５に接続されている羽根車４５ｂの回転数に比例してくるようになる。羽根車４５ｂの回転数により、発電機４５によって発電される電力量は決定してくるので、吸引風Ｑと発電機４５によって発電される電力量が比例関係にあるということがわかる。
【００３９】
発電機４５によって発電された電力により、塵埃検出手段４８および報知手段４７を駆動させなければならない。塵埃検出手段４８は発光手段６１としてＬＥＤなどを使用して構成しているため、安定して駆動させるためには十分な電力を確保する必要がある。
【００４０】
「強」ポジションで掃除機本体１の運転を行っている場合は発電機４５の発電量が大きく塵埃検出手段４８を駆動させるのに十分な発電量が確保できているため安定して塵埃検出手段４８を駆動させることができるが、「弱」ポジションで掃除機本体１の運転を行っている場合、発電機４５の発電量が少なく塵埃検出手段４８を十分に駆動させるだけの電力を確保することができない場合が考えられる。
【００４１】
図４（ａ）のように発電機４５の発電量をすべて使用する場合、塵埃検出手段４８を安定して駆動させるのに電力が不足する場合においても、図４（ｂ）のように塵埃検出手段
４８に供給する電力をパルス状にして印可することで発電した電力量以下の電力で塵埃検出手段４８を駆動させることが出来る。塵埃検出手段４８への通電は、ＭＯＳなどを使用した電力供給手段８３により行うことができる。これにより掃除機本体１の運転を弱ポジションで運転し発電機４５に流れる風量が減少しそれに伴い発電量も減少した場合においても塵埃検出手段４８を安定して動作させることができる。
【００４２】
次に、掃除機本体１を動作させるポジションすなわち吸引風Ｑと発電機４５の発電量の関係は図５のように変化する。ここで、あらかじめ所定の電力量を設定しておき、各動作ポジションに対応した電力量が認識できるようにしておく。この際、発電機４５に使用しているモータなどの構成部品のバラつきや塵埃が付着し発電機４５の動作が鈍くなることなどの状況もあらかじめ考慮し、所定の電力量を設定する必要がある。今回の場合所定の電力量をＡ、Ｂと設定する。このとき吸引風と掃除機本体１を運転しているポジションの相関関係があることから、図に示すように所定の電力量を境に掃除機本体１の運転がどのポジションで行われているのかも判断することが出来る。
【００４３】
次にそれぞれの発電量に応じた制御方法を説明する。従来の掃除機用塵埃検出装置では、図６（ａ）〜図６（ｃ）に示すように発電手段４５によって発電された電力を全て使用して塵埃検出手段４８へ電力を供給していた。この制御方法では、発電機４５での発電量が少ない場合すなわち弱ポジションで掃除機本体１を運転している場合、塵埃検出手段４８内の発光手段６１への通電量が不十分となり、受発光が出来ずに塵埃検出がうまく出来ない状況となる。
【００４４】
発電量の多い場合は、電力を塵埃検出手段４８へ十分に供給できるため動作上の問題はない。そこで、図７に示すように、発電量が所定の電力量より多い場合、今回の場合では所定での電力量Ａよりも発電量が多い場合（「強」ポジションで運転を行っている場合）、図７（ａ）に示すように、十分な発電量があるので発電機４５から電力を供給する時間を長くするようにしても良い。そして発電量が所定の電力量よりも少ない場合、今回の場合では所定の電力量Ｂよりも発電量が少ない場合（「弱」ポジションで運転を行っている場合）、図７（ｃ）に示すように発電機４５から電力を供給する時間を短くする。このとき発電機４５による発電量は一定のため、電力が印可されている間の電力量が若干上昇した電力量が塵埃検出手段４８へ供給される。
【００４５】
また、「弱」ポジションのように発電量が少ない場合、このような電力供給を行うことで発電量全てを使用せずに塵埃検出手段４８などを駆動することが出来るために、従来の電力不足状態とはならずに安定した動作を行うことができる。「中」ポジションで運転を行っている場合、図７（ｂ）のように、電力供給時間を「強」と「弱」の中間にすることで、発電量に応じて適切な電力供給を行うことが出来るようになる。
【００４６】
また、図８（ａ）〜図８（ｃ）に示すように所定の電力量に応じて発電機４５が供給する電力量の時間間隔を変化させて供給量を変える方法も考えられる。
【００４７】
このような制御を行うとき、従来の塵埃検出手段４８が駆動している時間よりも駆動時間が短くなってしまうことにより、駆動していない間に発光手段６１と受光手段６２の間を通過した塵埃を検出することが出来ない状況が発生し、従来よりも塵埃検出の精度が悪くなってしまうことが考えられる。
【００４８】
「強」ポジションのときは従来との差はほとんど無いと考えられるが「弱」ポジションで動作させている場合に感度の差が発生する場合が想定される。そこで、特に図示しないが、塵埃検出手段４８の検知感度を調整する感度調整手段（図示せず）を設け、所定の電力量に応じて、電力量が多い場合には、塵埃検出手段４８の感度を現状または若干鈍いよ
うに設定し、所定の電力量よりも電力量が少ない場合には塵埃検出手段４８の感度を上げるように設定してもよい。これにより従来と同等の塵埃検出を行うことが出来るようになり、発電量が少ない場合でも従来どおりの動作を行うことができるようになる。
【００４９】
また、報知手段４７もＬＥＤ等を使用しているため電力を消費する構成部品である。そこで報知手段４７への通電もパルス状にすることにより、特に発電量の少ない場合に無駄な電力を使用することがなくなり、効果的に塵埃検出手段４８に通電し動作させることが出来る。更に、制御手段８２の電源に一次電池を使用するようにすれば、発電機４５の発電量が少ない場合や不安定な場合においても、確実に制御を行うことができるようになる。
【００５０】
以上のように、本実施の形態においては、吸引風の風速によって変化する発電機４５の発電量により、電力供給手段８３を通して塵埃検出手段４８に通電することで、発電量の大きさによらず常に安定した動作を行うことができる掃除機用塵埃検出装置を提供することができる。
【００５１】
又、上記実施の形態における掃除機用塵埃検出装置２０を電気掃除機に接続又は搭載すれば、使い勝手のよい電気掃除機を提供することができる。
【産業上の利用可能性】
【００５２】
以上のように、本発明にかかる掃除機用塵埃検出装置は、吸引風があれば電源を供給することなしに塵埃を検出することができ、さらにすべての掃除状態においても安定した動作を行うことができる使い勝手の良いもので、家庭用、業務用、店舗用の各種電気掃除機に適用できる。
【符号の説明】
【００５３】
１  掃除機本体
２  電動送風機
３  集塵容器（集塵手段）
２０  掃除機用塵埃検出装置
４５  発電機(発電手段)
４５ｂ  羽根車
４７  報知手段
４８  塵埃検出手段
６１  発光手段
６２  受光手段
７２  本体制御手段
８２  制御手段
８３  電力供給手段
【図１】
2014226288.tif 000003
【図２】
2014226288.tif 000004
【図３】
2014226288.tif 000005
【図４】
2014226288.tif 000006
【図５】
2014226288.tif 000007
【図６】
2014226288.tif 000008
【図７】
2014226288.tif 000009
【図８】
2014226288.tif 000010